(57)【要約】【課題】  ユーザに対して着信した旨を確実に認識させることにより使い勝手を格段と向上させ得るようにする。【解決手段】  携帯電話機１のＣＰＵ１０は、所定の時間間隔で、周辺携帯電話機２が発する着信音の種類を自動的に認識し、そして着信があったときには、当該認識した着信音の種類と異なる種類の着信音を発する。かくしてユーザは、周辺携帯電話機２から発せられる着信音に惑わされることなく、自身の携帯電話機１から発せられる着信音を確実に認識することができる。【選択図】        図１
2005094684.tif 000002
【特許請求の範囲】
【請求項１】
周辺の携帯電話機が発する着信音を認識する認識手段と、
着信時、上記認識手段によって認識した上記着信音と異なる種類の着信音を発する放音手段と
を具えることを特徴とする携帯電話機。
【請求項２】
上記認識手段は、
所定の時間間隔で、上記周辺の携帯電話機が発する上記着信音を自動的に認識する
ことを特徴とする請求項１に記載の携帯電話機。
【請求項３】
周辺の携帯電話機が発する着信音を認識する認識ステップと、
着信時、上記認識ステップによって認識した上記着信音と異なる種類の着信音を発する放音ステップと
を具えることを特徴とする携帯電話機の着信音放音方法。
【発明の詳細な説明】
【技術分野】
【０００１】
本発明は携帯電話機及び着信音放音方法に関し、例えば、着信時に着信音を発するようになされた携帯電話機に適用して好適なものである。
【背景技術】
【０００２】
従来、携帯電話機には様々な種類の着信音が予め登録されており、ユーザは自分の嗜好に合わせて当該着信音を自由に変更し得るようになされている（例えば特許文献１）。
【特許文献１】特開２０００−１２４９６９公報
【発明の開示】
【発明が解決しようとする課題】
【０００３】
しかしながらこのような携帯電話機は、ユーザによって着信音の変更が全く行われないと、製造段階で初期設定されている標準的な着信音（以下、これを標準着信音と呼ぶ）を発するようになされている。
【０００４】
因みにこのような標準着信音は、携帯電話機の機種が異なっていても類似している場合が多い。
【０００５】
従ってユーザは、着信音の変更を全く行わないで標準着信音が発せられる携帯電話機を利用し続けていると、これと類似の標準着信音が発せられる携帯電話機を利用している他人に遭遇する場合が多々あり得る。
【０００６】
そしてこのような他人が周辺にいる状態で、この他人の携帯電話機から標準着信音が発せられてしまうと、ユーザは、この標準着信音が自身の携帯電話機から発せられているのか又は他人の携帯電話機から発せられているのかを瞬時に判別することが難しいので、自身の携帯電話機に対する着信と誤認してしまう可能性が高く、かくして使い勝手が良いとは言い得ない問題があった。
【０００７】
本発明は以上の点を考慮してなされたもので、ユーザに対して着信した旨を確実に認識させることにより使い勝手を格段と向上させ得る携帯電話機及び着信音放音方法を提案しようとするものである。
【課題を解決するための手段】
【０００８】
かかる課題を解決するために本発明においては、携帯電話機において、周辺の携帯電話機が発する着信音を認識する認識手段と、着信時、認識手段によって認識した着信音と異なる種類の着信音を発する放音手段とを設けるようにした。
【０００９】
また本発明においては、携帯電話機の着信音放音方法において、周辺の携帯電話機が発する着信音を認識する認識ステップと、着信時、認識ステップによって認識した着信音と異なる種類の着信音を発する放音ステップとを設けるようにした。
【００１０】
この結果この携帯電話機によれば、周辺の携帯電話機の着信音とは異なる種類の着信音を発することができるので、ユーザに対して着信した旨を確実に認識させることができる。
【発明の効果】
【００１１】
本発明によれば、携帯電話機において、周辺の携帯電話機が発する着信音を認識する認識手段と、着信時、認識手段によって認識した着信音と異なる種類の着信音を発する放音手段とを設けるようにしたことにより、周辺の携帯電話機の着信音とは異なる種類の着信音を発することができるので、ユーザに対して着信した旨を確実に認識させることができる。
【００１２】
また本発明によれば、携帯電話機の着信音放音方法において、周辺の携帯電話機が発する着信音を認識する認識ステップと、着信時、認識ステップによって認識した着信音と異なる種類の着信音を発する放音ステップとを設けるようにしたことにより、周辺の携帯電話機の着信音とは異なる種類の着信音を発することができるので、ユーザに対して着信した旨を確実に認識させることができる。
【発明を実施するための最良の形態】
【００１３】
以下図面について、本発明の一実施の形態を詳述する。
【００１４】
図１において、１は携帯電話機を示し、当該携帯電話機１全体を統括的に制御するＣＰＵ（Central Processing Unit）１０に対し、制御パス１１を介して無線通信回路１２、メモリ１３、テンキー等の各種キーからなる操作部１４、当該操作部１４を介して入力された電話番号等を表示するための表示部１５、近距離無線通信制御部１６、及び近距離無線通信回路１７が接続されている。また、無線通信回路１２、メモリ１３、マイクロフォン１８、通話相手の音声を放音するスピーカ１９、表示部１５、近距離無線通信回路１７、着信時に着信音を放音する着信音放音スピーカ２０等は、データパス２１を介して互いに接続されている。
【００１５】
この携帯電話機１においては、通話相手との通話時、基地局（図示せず）から送出された通信信号をアンテナ２３を介して受信すると、これを無線通信回路１２で復調処理し、得られた音声信号をデータパス２１を介してスピーカ１９へ送出し、これによりスピーカ１９から当該音声信号に基づく音声を放音する一方、マイクロフォン１８を介して入力されたユーザの音声信号を、データパス２１を介して無線通信回路１２へ送出し、これを無線通信回路１２で変調処理し、得られた通信信号をアンテナ２３を介して送出する。
【００１６】
近距離無線通信制御部１６、近距離無線通信回路１７及び近距離無線通信用アンテナ２４等からなる近距離無線通信モジュール部２５は、ＣＰＵ１０の制御に基づいて、例えばブルートゥース（Bluetooth（Ｒ））に準拠した方式により、周辺の携帯電話機２（図２）との間で近距離無線通信を行うようになされている。
【００１７】
メモリ１３に対しては、電子音系の着信音（例えば「ピピピピ…」）を放音させるための着信音データや、ベル音系の着信音（例えば「リンリンリン…」）を放音させるための着信音データ、ブザー音系の着信音（例えば「ブーブーブー…」）を放音させるための着信音データ、サイレン音系の着信音（例えば「ウォンウォン…」）を放音させるための着信音データ等、複数種類の着信音データが予め記憶されている。
【００１８】
本実施の形態の場合、この携帯電話機１では、ユーザに予め所定の着信音設定操作を行わせることによって、着信時に発すべき着信音を設定させるようになされている。すなわち携帯電話機１のＣＰＵ１０は、ユーザによってかかる着信音設定操作が開始されたとき、図３に示すような着信音設定画面３０を表示する。
【００１９】
この着信音設定画面３０には、最も優先して発すべき着信音を指定するための第１指定欄３１と、２番目に優先して発すべき着信音を指定するための第２指定欄３２と、３番目に優先して発すべき着信音を指定するための第３指定欄３３とが設けられている。この場合、第１指定欄３１に対しては電子音系の着信音「ピピピピ…」が入力されており、第２指定欄３２に対してはベル音系の着信音「リンリン…」が入力されており、第３指定欄３３に対してはブザー系の着信音「ブーブーブー…」が入力されている。
【００２０】
この結果この携帯電話機１は、かかる第１指定欄３１、第２指定欄３２及び第３指定欄３３に入力された内容に従って、最も優先的に発すべき着信音が「ピピピピ…」であることを認識すると共に、２番目に優先して発すべき着信音が「リンリン…」であることを認識し、また３番目に優先して発すべき着信音が「ブーブーブー…」であることを認識する。
【００２１】
またこのメモリ１３に対しては、後述する着信音切替処理を実行するための着信音切替プログラムも記憶されている。
【００２２】
ここで図２に示すような携帯電話機システム１００において、携帯電話機１に着信があった場合の着信手順を説明する。例えば、携帯電話機１のユーザと通話することを所望する通話相手が、一般の固定電話機３を介して、携帯電話機１の電話番号を入力する発信操作を行うと、当該電話番号が記された発信情報が、公衆電話網４を介して第１の移動通信制御局５へ送出される。
【００２３】
次に第１の移動通信制御局５は、かかる発信情報に基づいて、携帯電話機１が存在するサービスエリアをホームメモリ局６に問い合わせる。因みにこのホームメモリ局６は、携帯電話機１やその他携帯電話機の存在するサービスエリアを随時認識するようになされている。
【００２４】
やがて第１の移動通信制御局５は、ホームメモリ局６に問い合わせた結果として、携帯電話機１がサービスエリアＳＡ１に存在することを認識すると、このサービスエリアＳＡ１を管理する第２の移動通信制御局７に対して、携帯電話機１を呼び出すように命令する。
【００２５】
この命令を受けた第２の移動通信制御局７は、基地局８を介して携帯電話機１への着信情報をサービスエリアＳＡ１内に報知する。そしてサービスエリアＳＡ１内に存在する携帯電話機１は、この着信情報を認識すると、着信音放音スピーカ２０（図１）から着信音を放音することにより、着信した旨をユーザに通知するようになされている。
【００２６】
ところで本実施の形態の携帯電話機１は、予め設定されている所定の時間間隔で、着信音切替処理を実行するようになされている。ここでは、この着信音切替処理について、図４に示すフローチャートを用いて説明する。
【００２７】
すなわち携帯電話機１のＣＰＵ１０は、開始ステップＳＰ０からステップＳＰ１へ進み、近距離無線通信モジュール部２５を起動して、ステップＳＰ２へ移る。
【００２８】
ステップＳＰ２において携帯電話機１のＣＰＵ１０は、起動した近距離無線通信モジュール部２５を制御して所定処理を実行することにより、ブルートゥース（Ｒ）に準拠した近距離無線通信を行い得る他の携帯電話機が周辺（例えば、１０[m]の範囲内）に存在するか否かを判定する。
【００２９】
このステップＳＰ２において否定結果が得られると、このことは、携帯電話機１の周辺に近距離無線通信し得る携帯電話機が存在しないことを意味しており、このとき携帯電話機１のＣＰＵ１０は、終了ステップＳＰ６へ移って着信音切替処理を終了する。
【００３０】
これに対してステップＳＰ２において肯定結果が得られると、このことは、携帯電話機１の周辺に近距離無線通信し得る他の携帯電話機（この場合、図２に示す携帯電話機２）が存在することを意味しており、このとき携帯電話機１のＣＰＵ１０は、続くステップＳＰ３へ移る。
【００３１】
そしてステップＳＰ３において携帯電話機１のＣＰＵ１０は、かかる周辺の携帯電話機（以下、これを周辺携帯電話機と呼ぶ）２との近距離無線通信を開始して、この周辺携帯電話機２から着信音情報を取得する。ここでこの着信音情報においては、この周辺携帯電話機２に対する着信があった場合に、当該周辺携帯電話機２から発せられる着信音「ピッピッピッ…」の種類名「電子音系」が示されている。
【００３２】
続いて携帯電話機１のＣＰＵ１０は、ステップＳＰ４へ進み、最も優先的に発すべきものとして現在認識している着信音「ピピピピ…」（すなわち図３の第１指定欄３１に入力されたもの）の種類「電子音系」と、取得した着信音情報に示されている着信音の種類名「電子音系」とが同一であるか否かを判定する。ここでは肯定結果が得られるので、このとき携帯電話機１のＣＰＵ１０は、携帯電話機１から発せられる着信音と周辺携帯電話機２から発せられる着信音とが類似していると判断し、ステップＳＰ５へ進む。
【００３３】
ステップＳＰ５において携帯電話機１のＣＰＵ１０は、２番目に優先度が高く設定されている着信音「リンリン…」（すなわち図３の第２指定欄３２に入力されたもの）を、最も優先的に発すべき着信音として認識し直し、上述のステップＳＰ４へ戻る。
【００３４】
そして携帯電話機１のＣＰＵ１０は、再びこのステップＳＰ４において、最も優先的に発すべきものとして現在認識している着信音「リンリン…」の種類「ベル音系」と、取得した着信音情報に示されている着信音の種類名「電子音系」とが同一であるか否かを判定する。ここでは否定結果が得られるので、このとき携帯電話機１のＣＰＵ１０は、終了ステップＳＰ６へ進んで着信音切替処理を終了する。
【００３５】
このようにしてこの携帯電話機１は、周辺携帯電話機２と同じ種類（この場合「電子音系」）の着信音が発せられるように設定されていると、他の種類（この場合「ベル音系」）の着信音へ自動的に切り替えるようになされている。
【００３６】
この結果この携帯電話機１は、着信があったときに、周辺携帯電話機２から発せられる着信音とは異なる種類の着信音を発することができる。
【００３７】
以上の構成において、携帯電話機１のＣＰＵ１０は、所定の時間間隔で、周辺携帯電話機２が発する着信音の種類を自動的に認識し、そして着信があったときには、当該認識した着信音の種類と異なる種類の着信音を発する。かくしてユーザは、周辺携帯電話機２から発せられる着信音に惑わされることなく、自身の携帯電話機１から発せられる着信音を確実に認識することができる。
【００３８】
以上の構成によれば、携帯電話機１は、周辺携帯電話機２が発する着信音と異なる種類の着信音を発することができるので、当該携帯電話機１のユーザは、周辺携帯電話機２から発せられる着信音に惑わされることなく、自身の携帯電話機１から発せられる着信音を確実に認識することができる。
【００３９】
かくしてこの携帯電話機１は、ユーザに対して着信した旨を確実に認識させることができ、この結果、従来よりも使い勝手を格段と向上させることができる。
【００４０】
なお上述の実施の形態においては、図４に示した着信音切替処理を自動的に所定の時間間隔で実行するようにした場合について述べたが、本発明はこれに限らず、例えば、ユーザにより操作部１４を介して所定の開始操作が行われたときに、当該着信音切替処理を実行するようにしても良い。また図４に示したフローチャートのステップＳＰ５においては、他の着信音への切り替えを行う前に、例えば図５に示すような選択画面４０を表示し、ユーザに対して着信音を切り替えるか否かを選択決定させるようにしても良い。
【００４１】
また上述の実施の形態では、周辺の携帯電話機（携帯電話機２）が発する着信音を認識する認識手段として、近距離無線通信モジュール部２５及びＣＰＵ１０等を適用する場合について述べたが、本発明はこれに限らず、この他種々の構成を適用することができる。
【００４２】
さらに上述の実施の形態では、着信時、認識手段によって認識した着信音と異なる種類の着信音を発する放音手段として、着信音放音スピーカ２０等を適用する場合について述べたが、本発明はこれに限らず、この他種々の構成を適用することができる。
【産業上の利用可能性】
【００４３】
本発明は、着信時に着信音を発する携帯電話機等に適用することができる。
【図面の簡単な説明】
【００４４】
【図１】本実施の形態における携帯電話機の構成を示すブロック図である。
【図２】携帯電話システムの構成を示す略線図である。
【図３】着信音設定画面を示す略線図である。
【図４】着信音切替処理の手順を示す略線図である。
【図５】選択画面を示す略線図である。
【符号の説明】
【００４５】
１……携帯電話機、１０……ＣＰＵ、２０……着信音放音スピーカ、２５……近距離無線通信モジュール部。
【図１】
2005094684.tif 000003
【図２】
2005094684.tif 000004
【図３】
2005094684.tif 000005
【図４】
2005094684.tif 000006
【図５】
2005094684.tif 000007